(57)【要約】【課題】作業工程の簡素化を図り作業能率が高められ、また、隙間空間の密閉性の精度も向上できる遊技機用透明板保持枠を提供する。【解決手段】遊技機前面部に配置される遊技機用透明板保持枠１であって、所定の大きさの窓口部２を有する環状枠体３と、該環状枠体３の両面に窓口部２を密閉状に塞ぎかつ中間に隙間空間７が成形されるようにして取付けられる一対の透明板４ａ，４ｂと、前記環状枠体３に設けられ乾燥剤１０を収容する乾燥剤室１１と、該乾燥剤室１１の挿入口１２に嵌着される被せ蓋１６とを備え、該被せ蓋１６に前記乾燥剤室１１と隙間空間７とを連通させる通気孔１７が貫設され、乾燥剤室１１は透明板４ａ，４ｂで覆われる領域Ｓの外側に突出するようにして成形され、挿入口１２は透明板４ａ，４ｂで覆われる領域Ｓの内側であって隙間空間７に臨むようになっている。【選択図】図７
2006181081.tif 000002
【特許請求の範囲】
【請求項１】
遊技機前面部に配置される遊技機用透明板保持枠であって、所定の大きさの窓口部を有する環状枠体と、前記環状枠体の両面に前記窓口部を密閉状に塞ぎかつ中間に隙間空間が成形されるようにして取付けられる一対の透明板と、前記環状枠体に設けられ乾燥剤を収容する乾燥剤室と、前記乾燥剤室の挿入口に嵌着される被せ蓋とを備え、前記被せ蓋に前記乾燥剤室と隙間空間とを連通させる通気孔が貫設され、前記挿入口は前記透明板で覆われる領域の内側であって前記隙間空間に臨むようになっていることを特徴とする遊技機用透明板保持枠。
【請求項２】
前記環状枠体の両面側に窓口部の内周面に沿って透明板の外周端部が嵌合する環状凹溝を設け、前記一方の環状凹溝であって前記透明板の外周端部が当接する糊付面部に前記挿入口に対応位置して前記乾燥剤室と連なる切欠部を設け、被せ蓋には前記切欠部に合致し糊付面部を有する脚片部を一体に設けた請求項１記載の遊技機用透明板保持枠。
【請求項３】
前記被せ蓋の糊付面部の上端とこれと対応位置する前記環状枠体の糊付面部の上端とに該糊付面部から食み出た接着剤を受ける庇板を突設した請求項２記載の遊技機用透明板保持枠。
【請求項４】
前記透明板と対向する前記各庇板の一側面に前記食み出た接着剤を溜める貯留凹部を凹設した請求項３記載の遊技機用透明板保持枠。
【発明の詳細な説明】
【技術分野】
【０００１】
本発明は、遊技機前面部に配置され遊技盤の前面を覆う遊技機用透明板保持枠に関するものである。
【背景技術】
【０００２】
従来、例えば、遊技機の一種であるパチンコ遊技機であって、その前面部に配置され遊技盤面を覆う透明板保持枠は、次に示すような構成からなっている。
【０００３】
すなわち、この透明板保持枠は、環状枠体の前面側及び後面側に透明板としてのガラス板が接着され、両ガラス板の間に隙間空間が成形されている。環状枠体の上端部に乾燥剤室が成形され、該乾燥剤室の上面は開放し挿入口が設けられている。また、環状枠体には、乾燥剤室の底壁部位において前記乾燥剤室と隙間空間とを連通させる複数個の通気孔が開設される。そして、前記挿入口から乾燥剤室に乾燥剤を入れ、該挿入口に被せ蓋を嵌合して密閉するようにしている（例えば、特許文献１参照。）。
【特許文献１】特開２００３−９０７号公報（第３頁、図１乃至図４）
【発明の開示】
【発明が解決しようとする課題】
【０００４】
ところで、前記特許文献１の透明板保持枠にあっては、隙間空間を外気と遮断しその中を常に乾燥状態が保持されるように完全に密閉しておく必要がある。しかし、前記環状枠体の外側に挿入口が位置している。このため、前記ガラス板を接着剤により環状枠体に接着して取り付け、更に、挿入口に被せ蓋を接着剤により接着して取り付けるなど接着工程が２工程となり、しかも、隙間ができないように接着剤を塗るなど慎重を要する作業が多いことから、時間が掛かり作業工程の簡素化が図れないという課題がある。また、接着面が少なければ少ないほど隙間空間の密閉性の精度が向上することになる。
【０００５】
そこで、本発明は上記課題を解決すべくなされたもので、作業工程の簡素化を図り作業能率が高められるようにし、また、隙間空間の密閉性の精度も向上できる遊技機用透明板保持枠を提供することを目的とするものである。
【課題を解決するための手段】
【０００６】
かかる目的を達成するため、本発明に係る遊技機用透明板保持枠は、遊技機前面部に配置される遊技機用透明板保持枠であって、所定の大きさの窓口部を有する環状枠体と、該環状枠体の両面に窓口部を密閉状に塞ぎかつ中間に隙間空間が成形されるようにして取付けられる一対の透明板と、前記環状枠体に設けられ乾燥剤を収容する乾燥剤室と、該乾燥剤室の挿入口に嵌着される被せ蓋とを備え、該被せ蓋に前記乾燥剤室と隙間空間とを連通させる通気孔が貫設され、挿入口は透明板で覆われる領域の内側であって隙間空間に臨むようになっている。
【０００７】
この際、前記環状枠体の両面側に窓口部の内周面に沿って透明板の外周端部が嵌合する環状凹溝を設け、一方の環状凹溝であって透明板の外周端部が当接する糊付面部に挿入口に対応位置して乾燥剤室と連なる切欠部を設け、被せ蓋には切欠部に合致し糊付面部を有する脚片部を一体に設けることが好ましい。
【０００８】
また、前記被せ蓋の糊付面部の上端とこれと対応位置する環状枠体の糊付面部の上端とに、該糊付面部から食み出た接着剤を受ける庇板を突設することが好ましい。
【０００９】
更に、前記透明板と対向する各庇板の一側面に、前記食み出た接着剤を溜める貯留凹部を凹設することが好ましい。
【発明の効果】
【００１０】
請求項１記載の遊技機用透明板保持枠にあっては、乾燥剤室と隙間空間とを連通させる通気孔を被せ蓋に貫設し、乾燥剤室を透明板で覆われる領域の外側に突出するようにして成形し、また、挿入口は透明板で覆われる領域の内側であって隙間空間に臨むようにしているので、挿入口が隙間空間内に位置することになる。よって、被せ蓋は例えば係合手段によって挿入口に嵌着すれば十分であって、挿入口に接着剤を塗布し被せ蓋を密閉状に取り付ける必要がなくなり、作業工程の簡素化が図られ作業能率が高められる。また、乾燥剤室には前記挿入口以外の口はないことから、接着面積が少なくなりその分隙間空間の密閉性の精度も向上できるという効果がある。
【００１１】
請求項２記載の遊技機用透明板保持枠は、一方の環状凹溝であって透明板の外周端部が当接する糊付面部に挿入口に対応位置して乾燥剤室と連なる切欠部を設け、被せ蓋には切欠部に合致し糊付面部を有する脚片部を一体に設けてなるので、被せ蓋を挿入口に嵌着した状態では、脚片部の外側面が環状凹溝の糊付面部と面一となる。よって、そこに接着剤を塗布すれば、透明板の接着と共に被せ蓋も同時に接着されることになり、作業工程が簡素化される。
【００１２】
請求項３記載の遊技機用透明板保持枠は、被せ蓋の糊付面部の上端とこれと対応位置する前記環状枠体の糊付面部の上端とにこれら糊付面部から食み出た接着剤を受ける庇板を突設してなるので、接着剤の塗布時に接着剤が糊付面部から食み出し流れ出ても庇板により受け止められる。これにより、被せ蓋に貫設された通気孔に食み出た接着剤が流れ込み該通気孔が詰まる事態が回避され、隙間空間内の乾燥機能が損なわれることはない。
【００１３】
請求項４記載の遊技機用透明板保持枠は、透明板と対向する前記各庇板の一側面に食み出た接着剤が貯留凹部に溜められるので、前記通気孔が接着剤によって詰まる事態がより一層回避される。
【発明を実施するための最良の形態】
【００１４】
以下、本発明に係る遊技機用透明板保持枠の実施の形態を図面に基づき説明する。本発明が適用される遊技機には、例えば、パチンコ遊技機、アレンジボール機、雀球遊技機、パチスロ機等があるが、この内、パチンコ遊技機の透明板保持枠について説明する。
【００１５】
図１は本発明が適用される前面枠の裏から見た斜視図、図２は透明板保持枠の裏から見た斜視図、図３は同分解斜視図、図４は同乾燥剤室部位の拡大斜視図である。前面枠Ａは合成樹脂製であってパチンコ遊技機（図示せず。）の前面とほぼ同じ大きさに成形される。そして、パチンコ遊技機の前面にその一側を軸着して開閉自在に取着される。透明板保持枠１は前面枠Ａの裏側に配置され、遊技盤面（図示せず。）を覆うことになる。
【００１６】
透明板保持枠１は、所定半径の窓口部２を有する円環状の環状枠体３と、該環状枠体３の両面、すなわち前面と後面に前記窓口部２を密閉状に塞ぐ一対の透明板としての円板状のガラス板４ａ，４ｂとから概ね構成される。環状枠体３の外周縁には上部の両側にそれぞれ取付片５，５が突設される。また、環状枠体３の前後両面側の内周縁に各ガラス板４ａ，４ｂの外周端部が嵌合する環状凹溝６ａ，６ｂが設けられる。環状凹溝６ａ，６ｂは一定の間隔離れており、各環状凹溝６ａ，６ｂにガラス板４ａ，４ｂを嵌合して取り付けたとき、両ガラス板４ａ，４ｂ間に密閉された隙間空間７が成形されるようになっている。また、各環状凹溝６ａ，６ｂであって各ガラス板４ａ，４ｂが接着剤により接着されるための糊付面部８ａ，８ｂには、図７（イ）に示すようにその長手方向に沿って接着剤を溜める窪み部９が凹設される。
【００１７】
前記環状枠体３の下部一側に乾燥剤１０を収容する密閉状の乾燥剤室１１が設けられ、環状枠体３の内周面３ａに乾燥剤室１１の挿入口１２が開設されている。該挿入口１２は環状枠体３に沿って長細状に成形される。乾燥剤室１１は前記各ガラス板４ａ，４ｂで覆われる領域Ｓの外側に突出するようにして成形され、前記挿入口１２は各ガラス板４ａ，４ｂで覆われる領域Ｓの内側であって前記隙間空間７に臨むようになっている。このように、乾燥剤室１１が各ガラス板４ａ，４ｂで覆われる領域Ｓの外側に突出するようにして成形されるので、各ガラス板４ａ，４ｂの大きさを必要最小限に抑えることができる。よって、成形上のガラス板の歩留りが良く、また、透明板保持枠１の軽量化が図られ取り扱いも容易になる。
【００１８】
前記挿入口１２には、長手方向の両端部に環状枠体３の内周面３ａより少し低い段部１３，１３が設けられ、各段部１３，１３よりも下方であって乾燥剤室１１の内側面にそれぞれ係合凹部１４，１４が設けられる。また、環状枠体３の前面側の環状凹溝６ａであって糊付面部８ａには、前記挿入口１２に対応位置して該乾燥剤室１１と連通する切欠部１５が設けられる。
【００１９】
挿入口１２に嵌着される被せ蓋１６は、該挿入口１２に合致する大きさを有しかつ環状枠体３の内周面３ａに沿うように湾曲している。この被せ蓋１６は、図４、図５（イ）（ロ）に示すように環状枠体３の内周面３ａと上面１６ｃが面一となる蓋板部１６ａと、該蓋板部１６ａの下面であって前側に前端縁を僅かに残して下方へ垂下される脚片部１６ｂからなる。この脚片部１６ｂは、環状凹溝６ａの糊付面部８ａと面一になっている。また、前記蓋板部１６ａには、後端縁に沿って複数の通気孔１７が貫設される。更に、脚片部１６ｂの長手方向の両端面に、前記各係合凹部１４に係合し得る係合凸部１８が突設される。
【００２０】
前記乾燥剤１０として、例えば、シリカゲル（水ガラス及び硫酸を原料として製造される二酸化ケイ素の非結晶合成物）またはモレキュラーシーブス（水ガラス、粘土及び苛性ソーダの化学反応により製造されて金属、アルミニウム、ケイ素及び酸素により組成される金属のアルミナ珪酸塩）が用いられ、これらの粉状体または顆粒状体を通気性の有る袋に封入して使用される。
【００２１】
本発明に係る透明板保持枠１は前記構成からなり、次に、その組付順序を説明する。まず、挿入口１２から乾燥剤室１１内に袋入りの乾燥剤１０を入れる。そして、切欠部１５に脚片部１６ｂを位置させて挿入口１２に被せ蓋１６を被せる。この際、図６に示すように被せ蓋１６の両端部が段部１３，１３に嵌り込み、各係合凸部１８が各係合凹部１４に係合する。これにより、被せ蓋１６が簡単に外れないようになる。
【００２２】
次に、環状枠体３の前面と後面に成形された環状凹溝６ａ，６ｂであってその糊付面部８ａ，８ｂに接着剤１９を隙間のないように十分に塗る。脚片部１６ｂの面一となる面にも接着剤１９を同様に塗る。環状枠体３の前後面では図７（イ）に示すように各窪み部９内に接着剤１９が溜まり、被せ蓋１６部位では脚片部１６ｂの外側面に前端縁部１６ｄによって窪み部９が成形されるようになっており、該窪み部９に接着剤１９が溜まることになる。そして、環状枠体３の前後両面から各ガラス板４ａ，４ｂの外周端部を各環状凹部６ａ，６ｂに嵌め込むと共に各糊付面部８ａ，８ｂに押し付けしっかりと接着させる。これにより、両ガラス板４ａ，４ｂ間に密閉された隙間空間７が成形され、かつ各通気孔１７を介して乾燥剤室１１と隙間空間７が連通し、隙間空間７内が乾燥される。
【００２３】
このように、乾燥剤室１１をガラス板４ａ，４ｂで覆われる領域Ｓの外側に突出させると共に挿入口１２をガラス板４ａ，４ｂで覆われる領域Ｓの内側であって隙間空間７に臨ませてあるので、挿入口１２が隙間空間７内に位置することになる。よって、被せ蓋１６は係合凸部１８と係合凹部１４との係合のみによって嵌着されていれば十分であって、被せ蓋１６を接着剤１９により密閉状に取り付ける必要性がなくなる。これにより、被せ蓋１６のみを接着剤１９により接着させて取り付けるといった工程が省かれ、作業工程の簡素化が図られ作業能率が高められる。また、その分接着面積が少なくなり、隙間空間７の密閉性の精度も向上できる。
【００２４】
図８（イ）は他の実施の形態に係る乾燥剤室部位の側面断面図を示す。この実施の形態では、前記被せ蓋１６の糊付面部８ａの上端とこれと対応位置する環状枠体３の上端とに窓口部２の中心に向かう庇板２０を突設してなる。これにより、被せ蓋１６に貫設された通気孔１７が糊付面部８ａ，８ｂから食み出た接着剤１９が流れ込んで詰まるという事態を回避でき、隙間空間７内の乾燥機能が損なわれることがない。更に、両庇板２０，２０の一側面、すなわち接着剤１９が塗られた面、側に貯留凹部２１，２１を設け、該貯留凹部２１に食み出た接着剤１９を溜めるようにすれば、前記通気孔１７が接着剤１９により詰まる事態がより一層回避される。
【００２５】
図８（ロ）も他の実施の形態に係る乾燥剤室部位の側面断面図を示すものである。この実施の形態は、環状枠体３に挿入口１２に対応位置する切欠部１５がなく、被せ蓋２２にもこれに合わせて脚片部１６ｂが設けられていない。この場合、係合凹部１４と係合凸部１８との係合がしっかりしておれば十分であり、被せ蓋１６ａが外れなければ良い。また、被せ蓋２２には、長手方向の中央に沿って通気孔１７ａが貫設されている。このような構成であっても本発明の効果を発揮し得る。また、この場合、図８（イ）に示した構成と同様に糊付面部８ａ，８ｂの上端にそれぞれ庇板２０を突設し、更には貯留凹部２１を設けるようにしても良い。
【００２６】
このようにして組み付けられた透明板保持枠１は、前面枠Ａの裏側であって所定の位置に配置する。そして、前面枠Ａの所定位置に設けられた複数のフック部材２３を回動させ各取付片５，５に係合させて透明板保持枠１が取り付けられることになる。また、前記環状枠体３の窓口部２、すなわちガラス板４ａ，４ｂは円板状であると説明したが、このガラス板４ａ，４ｂは他に例えば方形状、楕円形状、蒲鉾形状といった所望の形状のものが選択使用される。
【図面の簡単な説明】
【００２７】
【図１】本発明が適用される前面枠の裏から見た斜視図。
【図２】透明板保持枠の裏から見た斜視図。
【図３】同分解斜視図。
【図４】同乾燥剤室部位の拡大斜視図。
【図５】（イ）は被せ蓋の一方から見た斜視図、（ロ）は同他方から見た斜視図。
【図６】透明板保持枠の乾燥剤室の正面断面図。
【図７】（イ）は図２のＸ−Ｘ線断面図、（ロ）は図２のＹ−Ｙ線断面図。
【図８】（イ）（ロ）は他の実施の形態に係る乾燥剤室部位の側面断面図。
【符号の説明】
【００２８】
１                  透明板保持枠
２                  窓口部
３                  環状枠体
４ａ，４ｂ          透明板（ガラス板）
６ａ，６ｂ          環状凹溝
７                  隙間空間
８ａ，８ｂ          糊付面部
１０                乾燥剤
１１                乾燥剤室
１２                挿入口
１５                切欠部
１６                被せ蓋
１６ｂ              脚片部
１７                通気孔
２０                庇板
２１                貯留凹部
Ａ                  前面枠
Ｓ                  透明板で覆われる領域
【図１】
2006181081.tif 000003
【図２】
2006181081.tif 000004
【図３】
2006181081.tif 000005
【図４】
2006181081.tif 000006
【図５】
2006181081.tif 000007
【図６】
2006181081.tif 000008
【図７】
2006181081.tif 000009
【図８】
2006181081.tif 000010